(57)【要約】【課題】この発明は、彫刻刀に特殊な素材のガード部材を設け、ガード部材の構造は極簡単であり、彫る箇所の視認性がよく、さらに、安全に使用できる彫刻刀を開発・提供するものである。【解決手段】柄体の先端部に刃が取り付けられた彫刻刀本体と、前記柄体の先端に装着され、前記刃を囲繞するガード部材からなる彫刻刀において、柄体（１）に設けたガード部材（３）の素材が可撓性を有する線状材であることを特徴とする彫刻刀であり、柄体（１）の先端部に刃（２）を植設し、使用時に平面視で該刃（２）を囲繞するガード部材（３）を線状材で構成したことを特徴とする彫刻刀から構成されるものである。【選択図】  図１
2019181851.tif 000002
【特許請求の範囲】
【請求項１】
柄体の先端部に刃が取り付けられた彫刻刀本体と、前記柄体の先端に装着され、前記刃を囲繞するガード部材からなる彫刻刀において、
柄体に設けたガード部材の素材が可撓性を有する線状材である
ことを特徴とする彫刻刀。
【請求項２】
前記ガード部材は、
側面視で、柄体に装着した刃より下部に設け、ガード部材の先端部は、刃の先端を超え、且つ、刃の上方に向け湾曲して設け、
使用時にガード部材の先端が、刃の先端を超えて位置する
ことを特徴とする請求項１記載の彫刻刀。
【請求項３】
前記ガード部材は、
可撓性を有する線状材の素材が、ステンレス鋼である
ことを特徴とする請求項１または２記載の彫刻刀。
【請求項４】
前記ガード部材は、
丸刀、小丸刀、角刀、平刀、切出刀の全種類、あるいは、これらから選ばれた１または複数の彫刻刀に装着する
ことを特徴とする請求項１または２または３記載の彫刻刀。
【発明の詳細な説明】
【技術分野】
【０００１】
この発明は、彫刻刀に関するものであり、特に、彫刻刀の刃先を囲繞するガード部材を設けた彫刻刀に関するものである。
【背景技術】
【０００２】
従来、彫刻刀は、小学校の図画工作の授業で使用されており、特に、木版の彫刻作業において使用されている。しかし、彫刻刀は刃本体がむき出しの状態で使用されるため、その取扱いには細心の注意が必要であり、彫刻刀の正しい使用方法を知らない小学生にとっては極めて危険である。そのため、彫刻刀の刃を囲繞するガード部材を設けた彫刻刀が種々見受けられる。
【０００３】
しかしながら、これら従来の彫刻刀に設けられているガード部材は、複雑なメカニズムを有しておりそのため部品点数が多いものであった。しかも、これらガード部材のガード部分を構成する素材は大抵が硬質の合成樹脂であるため、変形しないガード部材で構成された彫刻刀であった。これら従来例の一部を紹介する。
【０００４】
先ず、第１の彫刻刀は、彫刻刀の柄部に装着する指輪状の胴部と、刃を保護するガード部とを、一体化したガード部材を有したものが存在している。しかし、このような彫刻刀の刃先カバー（ガード部）は、柄本体に装着・脱する構成になっており、使用の都度、装着・脱する作業を行うことは煩雑であった。例えば、特許文献１のように。
【０００５】
次に、第２の彫刻刀は、不撓性のガード部材を用いて、柄本体部から本体に沿って退避移動するよう構成された複雑な彫刻刀であり、しかも、前記ガード部材の先端部は、肉厚を有しており木版を彫る場合には、その肉厚が視界を遮ってしまうため極めて視認性の悪いものであった。例えば、特許文献２のように。
【０００６】
さらに、第３の彫刻刀は、ガード部材は合成樹脂製であって、変形しないために、刃はガード部から飛び出しており、不安全であり、安全性において劣る構成のように思われる。例えば、特許文献３のように。
【先行技術文献】
【特許文献】
【０００７】
【特許文献１】特許第４２２４５１９号公報
【特許文献２】特許第５９５９８２４号公報
【特許文献３】特許第６１８０５８４号公報
【発明の概要】
【発明が解決しようとする課題】
【０００８】
そこでこの発明は、彫刻刀に特殊な素材のガード部材を設け、ガード部材の構造は極簡単であり、彫る箇所の視認性もよく、さらに、安全に使用できる彫刻刀を開発・提供するものである。
【課題を解決するための手段】
【０００９】
この発明の彫刻刃は、柄体の先端部に刃が取り付けられた彫刻刀本体と、前記柄体の先端に装着され、前記刃を囲繞するガード部材からなる彫刻刀において、柄体に設けたガード部材の素材が、可撓性を有する線状材であることを特徴とする。
【００１０】
そして、前記ガード部材は、側面視で、柄体に装着した刃より下部に設け、ガード部材の先端部は、刃の先端を超え、且つ、刃の上方に向け湾曲して設け、使用時にガード部材の先端が、刃の先端を超えて位置することを特徴とする。
【００１１】
さらに、前記ガード部材は、可撓性を有する線状材の素材が、ステンレス鋼であることを特徴とする。
【００１２】
さらにまた、前記ガード部材は、丸刀、小丸刀、角刀、平刀、切出刀の全種類、あるいは、これらから選ばれた１または複数の彫刻刀に装着することを特徴とする。
【発明の効果】
【００１３】
この発明によると、ガード部材（３）は、可撓性を有する線状材を用いており、従来例のガード部材のように、強度を保つ必要上の厚みや幅を設けているが、この発明のガード部材（３）は線状材を用いるため、作業者の目を遮蔽することがなく、木版等の対象物（Ｘ）に対して視認性がよく、誤った箇所を彫ってしまうという失敗は生じないし、さらに、ガード部材（３）が可撓性を有するので、彫る際に撓み刃の邪魔にならず、自在に対象物（Ｘ）に突き刺さり削り出すことが出来る等の効果を奏する。
【００１４】
また、この発明によると、ガード部材（３）の先端部は、刃の先端を超え、且つ刃の全周をガードできる形状であり、木版等の対象物（Ｘ）を彫る際には、刃はガード部材（３）が撓みを有しているため、刃を付勢して楽に彫ることができ、浅く彫ったり、或いはすくい上げるよう深く彫り込む作業であっても作業の邪魔にならず、自在に彫ることが出来る等の効果を奏する。
【００１５】
さらに、この発明に使用するガード部材（３）は、ステンレス鋼を用いており錆びることがなく、従って、錆で木版を汚すことがなく美麗な仕上がりが得られる等の効果を奏する。
【００１６】
また、この発明は、従来品の彫刻刀に比べて、ガード部材（保護部材ともいう。）の構造が極めて簡単であり、その形状で彫刻刀の種類を判断でき、本来の使い方を促す等の効果を奏する。
【図面の簡単な説明】
【００１７】
【図１】この発明の一実施例を示す側面図である。
【図２】この発明の一実施例を示す平面図である。
【図３】この発明の使用状態を示す側面図である。
【図４】この発明に使用するガード部材の先端の形状を示す実施例であり、（Ａ）はアーチ状であり，（Ｂ）は門型状であり，（Ｃ）は、屋根型状である。
【図５】従来例の側面図である。
【図６】従来例の一部をきり欠いた状態の平面図である。
【図７】従来例の使用状態を示す側面図である。
【発明を実施するための形態】
【００１８】
以下、本発明について詳細に説明する。なお、本発明においては、以下の記述に限定されるものではなく、本発明の要旨を逸脱しない範囲においては適宜変更可能である。
【実施例】
【００１９】
次に、本発明の一実施例を図１〜図４に基づいて説明すると、柄体の先端部に刃が取り付けられた彫刻刀本体と、前記柄体の先端に装着され、前記刃を囲繞するガード部材からなる彫刻刀において、柄体（１）に設けたガード部材（３）の素材が可撓性を有する線状材であることを特徴とする彫刻刀から構成されるものである。
【００２０】
そして、前記ガード部材（３）は、側面視で、柄体（１）に装着した刃（２）より下部に設け、ガード部材（３）の先端部は、刃（２）の先端を超え、且つ、刃の上方に向け湾曲して設け、使用時にガード部材（３）の先端が、刃（２）の先端を超えて位置することを特徴とする彫刻刀である。
【００２１】
さらに、前記ガード部材（３）は、可撓性を有する線状材がステンレス鋼から構成されており、刃（２）を付勢して楽に彫ることができ、また、木版等の対象物（Ｘ）に対して撓むため傷を付けることがなく、また、錆びないため錆びによる汚れが付着する恐れもない。
【００２２】
なお、前記線状材の太さは、一例としては、径０．８ｍｍであるが、この寸法に限定されることはない。また、前記線状材の断面形状は、一例としては、円形であるがこの形状に限定されることはない。
【００２３】
また、前記ガード部材（３）は、「丸刀」、「小丸刀」、「角刀」、「平刀」、「切出刀」の全種類、あるいは、これらから選ばれた１または複数の彫刻刀に装着することを特徴とする彫刻刀である。元々彫刻刀セットは、上記の５種類の彫刻刀で構成されることが一般的であるが、その中で、「平刀」と「切出刀」は、他の彫刻刃とは異なりフレキシブルな動き（平刀は、広い面積を薄く削り出したり、角を丸くしたり、小刀は、切り込みを入れたり、広い面を薄く削り出したりする。）を必要としており、従来例の彫刻刀のガード部材を流用すると、彫刻作業の邪魔になったり、彫刻作業が困難になることが推測される。
【００２４】
しかし、本願発明のガード部材（３）は、可撓性を有するステンレス材であり、フレキシブルな彫刻をする前記「平刀」と「切出刀」に装着しても、充分に対応でき、彫刻刀セットの全部の種類の彫刻刀に装着でき、彫刻セットとして違和感がない等の優れた効果を有する。
【００２５】
さらに、ガード部材（３）の先端は形状の一例は、図４の（Ａ）に示すようにアーチ型状であり，図４の（Ｂ）のように門型状であり，さらに、図４の（Ｃ）のように屋根型状に形成されるものである。しかし、これらの形状に限定されるものではないし、ガード部材（３）の形状で刃の種類を判断できる。
【００２６】
なお、対象物（Ｘ）とは、木版、ゴム版、樹脂版等であって、彫刻刀で彫ることが可能な全ての物体をいう。
【産業上の利用可能性】
【００２７】
この発明の彫刻刀の技術を確立し、実施・販売することにより、産業上利用できるものである。
【符号の説明】
【００２８】
１    柄体
２    刃
２ａ  刃先  
３    ガード部材
Ｘ    対象物
【図１】
2019181851.tif 000003
【図２】
2019181851.tif 000004
【図３】
2019181851.tif 000005
【図４】
2019181851.tif 000006
【図５】
2019181851.tif 000007
【図６】
2019181851.tif 000008
【図７】
2019181851.tif 000009